(57)【特許請求の範囲】
【請求項１】
有機物を分解する微生物、及び該微生物の担体を収納する処理槽の下部に前記担体の排出口をシャッタにより開閉自在に設け、運転に伴って劣化した担体を、前記シャッタの取り外しにより開放された前記排出口を経て外部に取り出すようにした有機物処理装置において、前記外装ケースは、前記処理槽の下部を支えるロアケースと、該ロアケースの上部に被せてあり、その下縁をロアケースの周縁に固定して一体化されたアッパケースとを備え、前記排出口の周縁部を、前記シャッタを介して前記ロアケースに支える構成としてあることを特徴とする有機物処理装置。
【請求項２】
前記シャッタを前記排出口の周縁部を支える位置に拘束する手段を備える請求項１記載の有機物処理装置。
【発明の詳細な説明】
【０００１】
【発明の属する技術分野】
本発明は、厨芥等の有機物を微生物の活動により分解処理する有機物処理装置に関する。
【０００２】
【従来の技術】
一般家庭、飲食店の厨房内に発生する厨芥（生ごみ）等の有機物を処理するための一方法として、微生物による分解を利用する方法がある。この方法による有機物処理装置は、有機物を分解する微生物、及び該微生物の担体（木質細片、おが屑、活性炭等）を収納する処理槽の上部に投入口を設け、また内部に攪拌手段を配して構成され、前記投入口を経て処理槽内に投入される有機物を前記攪拌手段の動作により担体中に取り込み、この状態に放置して、前記担体中に生息する微生物の活動により分解処理する構成となっている。
【０００３】
担体中に取り込まれた有機物の分解を良好に行わせるには、適量の水分を含み適温に保たれた担体中に適量の空気（酸素）を供給し、該担体の内部を微生物の活動に適した環境に保つことが重要であり、処理槽内部の換気手段と加熱手段とを備え、換気手段の動作により処理槽内に外気を供給すると共に、前記分解により生成される水分及びガスを処理槽外に排出して、担体内部の空気量及び水分量を適正に保つ一方、加熱手段の加熱動作により、処理槽の内部を適温に保ち、更に、前記攪拌手段の動作により担体を随時攪拌して、該担体の内部へ空気を取り込むと共に、分解により生成される水分及びガスを排出して、処理槽の内部環境を適正に維持する運転が行われている。
【０００４】
さて、この種の有機物処理装置においては、以上の如く行われる運転の継続に伴い、分解処理後の残留物、有機物と共に投入される難分解物（ビニール袋、割箸、貝殻等）が処理槽内部の担体中に蓄積され、微生物の生息環境が徐々に悪化して、処理能力の低下を招くことから、処理槽内部の担体を適宜の周期にて取り出し、新たな担体に交換する必要がある。
【０００５】
以上の如き担体の交換を容易に行わせるべく、従来から、特開平7-136627号公報（B09B 3／00）、特開平7-222967号公報（B09B 3／00）等に開示されているように、処理槽の一側（前側）下部に担体排出用の排出口をシャッタにより開閉自在に備え、担体交換に際しては、前記シャッタを取り外して排出口を開放することにより処理槽内部の担体を容易に取り出し得るようにした構成が採用されている。
【０００６】
【発明が解決しようとする課題】
ところが、処理槽の底面に担体の排出口を開設した場合、該排出口の開口部周縁の強度が低下することが避けられず、処理槽内部の担体の重量、及び攪拌手段による担体の攪拌力の作用により前記周縁部が撓み変形し、前記シャッタによる閉止が良好に行えなくなるという問題があった。
【０００７】
この問題は、排出口の周縁に、処理槽の外面側、又は内面側から補強リブを形成することにより緩和されるが、前記補強リブを外面に設ける場合、シャッタとの干渉を避けねばならず、また内面に設ける場合、攪拌手段の動作による担体の攪拌を阻害する虞れがある。
【０００８】
これらのことから従来においては、処理槽全体の肉厚を大きくし、また、排出口の周縁を他部よりも厚肉とすることにより対応しているが、前記処理槽は大嵩の中空容器であり、成型のための金型形状が複雑化し、また全体重量の増加を招来するという不都合があった。
【０００９】
本発明は斯かる事情に鑑みてなされたものであり、処理槽の底部に開設された担体の排出口の周縁部を、処理槽の側での処置によらずに強化することができ、担体の重量及び攪拌に伴う作用力による撓みを有効に防止して、シャッタによる閉止状態を長期間に亘って良好に維持し得る有機物処理装置を提供することを目的とする。
【００１０】
【課題を解決するための手段】
本発明に係る有機物処理装置は、有機物を分解する微生物、及び該微生物の担体を収納する処理槽の下部に前記担体の排出口をシャッタにより開閉自在に設け、運転に伴って劣化した担体を、前記シャッタの取り外しにより開放された前記排出口を経て外部に取り出すようにした有機物処理装置において、前記外装ケースは、前記処理槽の下部を支えるロアケースと、該ロアケースの上部に被せてあり、その下縁をロアケースの周縁に固定して一体化されたアッパケースとを備え、前記排出口の周縁部を、前記シャッタを介して前記ロアケースに支える構成としてあることを特徴とする。
【００１１】
本発明においては、排出口を開閉するシャッタが、該排出口と処理槽の下部を支持するロアケースとの間に介在し、排出口の周縁部を高強度のロアケースに支える作用をなし、処理槽内部の担体の重量、及び該担体の攪拌に伴う作用力により生じる前記周縁部の撓みを、シャッタ及びロアケースの剛性により抑える。
【００１２】
更に加えて、前記シャッタを前記排出口の周縁部を支える位置に拘束する手段を備えることを特徴とする。
【００１３】
本発明においては、例えば、シャッタの外側に装着される外装カバーの作用により該シャッタの移動を拘束して、排出口の周縁部をロアケースに支えた状態を確実に保つ。
【００１４】
【発明の実施の形態】
以下本発明をその実施の形態を示す図面に基づいて詳述する。図１は、本発明に係る有機物処理装置の正面断面図、図２は、同じく側断面図である。
【００１５】
図において１は、有機物を分解処理する処理槽である。該処理槽１は、図２に示す如く、下半部を半円形とした側断面形状を有し、上部の略全面に有機物投入のための開口を備える中空容器であり、矩形箱形をなす外装ケース２に内包されている。
【００１６】
外装ケース２は、その上部に処理槽１を支持すると共に、幅方向の両側に支持脚を一体形成してなる高強度のロアケース2aと、該ロアケース2aの上部に被せてあり、その下縁をロアケース2aの周縁に固定して一体化されたアッパケース2bとを備えて構成されており、処理槽１の上部開口には、図２に示す如く、アッパケース2bの天板から垂下された投入シュート20が差し込まれて、有機物の投入口が形成されており、投入シュート20の上部は、アッパケース2b上面に取付けた上蓋21により開閉自在に覆ってある。
【００１７】
図３は、上蓋21、アッパケース2bの天板、及び後述するカバー板31取り除いた状態を上方から見た平面図である。これらに示す如く処理槽１の上部には、適宜の幅を内側に折り返し、矩形に開口する投入口の周囲を縁取る折り返し部10が形成されており、該折り返し部10には、これを内外に貫通する複数の吸気孔11，11…が形成されている。
【００１８】
幅方向一側の折り返し部10には、図１に示す如く、アッパケース2bとの間の隙間を塞ぐ態様に支持板30が取り付けてあり、該支持板30の前半部には、運転制御のための電子部品が実装された制御基板３が、その上部をカバー板31により覆って支持され、同じく後半部には、図３に示す如く、処理槽１内部の換気のための換気ファン32が取り付けられている。
【００１９】
図４は、図３のIV−IV線による断面図、図５は、同じくＶ−Ｖ線による断面図である。制御基板３の上部を覆うカバー板31は、図４に示す如く、後側において換気ファン32の上部に至るまで、また図５に示す如く、側部において投入シュート20の背面近傍に達する位置まで夫々延設されており、支持板30上の制御基板３の取り付け位置は、図４に示す如く、その後側において支持板30の表面から上向きに立設されたリブ板33により換気ファン32の装着位置と隔絶され、また、側部においてカバー板31の内面から下方に延びるリブ板34により、投入シュート20の背面側と隔絶されている。
【００２０】
これにより、投入シュート20の背面には、該投入シュート20と、カバー板31、リブ板34及び支持板30とにより四方を囲まれ、制御基板３の後側を迂回して換気ファン32の取り付け位置に連通する排気風路35が形成されたこととなり、該排気風路35は、同側の投入シュート20の側面を貫通し、排気フィルタが装着された排気孔22を介して処理槽１の内部に連通させてある。また、排気風路35の後側は、換気ファン32の下側に連設された排気ダクト36により、アッパケース2bの背面に開口する排気口37に連続させてある。
【００２１】
以上の構成により、換気ファン32が駆動された場合、処理槽１の内部の空気は、排気孔22を経て排気風路35内に導入され、制御基板３の取り付け位置を迂回して換気ファン32に吸い込まれて、排気ダクト36及び排気口37を経て外気に排出される。この排気は、処理槽１の内部に後述する如く発生する水分を含んでおり、この水分は、換気ファン32の取り付け板上に水滴となって付着する。図３に示す如く、換気ファン32の取り付け板の周囲には、これを上下に貫通する複数の水抜き孔38，38…が開設してあり、取り付け板上に溜まる水分を下部に逃がす構成としてある。
【００２２】
図４に示す如く、制御基板３の取り付け位置の後側のリブ板33は、上部を覆うカバー板31との間にわずかな隙間を有しており、また制御基板３の取り付け位置の前部は、適宜の隙間を介してアッパケース2bの内側に連通させてあり、換気ファン32が駆動された場合、処理槽１内部からの前述した排気と共に、制御基板３の取り付け室内にアッパケース2b内側の空気が直接的に吸い込まれ、リブ板33上部の隙間を経て排気風路35に至る通気が生じ、制御基板３に実装された電子部品は、この通気との接触により冷却されるようになしてある。
【００２３】
このように生じる冷却用の通気は、排気風路35内を流れる排気とは異なり、殆ど水分を含まないことから、制御基板３上の電子部品の誤動作を引き起こす虞れはない。また、前記通気の出口となる前記リブ板33上縁の隙間はわずかであり、更に、これの外側の排気風路35の内部は風上となることから、排気風路35内を流れる前記排気の主流が制御基板３の取り付け室内に侵入する虞れはない。
【００２４】
以上の如く構成された排気風路35は、実質的に、制御基板３の支持板30上に、該支持板30と上カバー板31との２部品により簡素に構成されており、処理槽１の内部からの排気と同時に、制御基板３の冷却も可能としたものとなっており、組み立てが容易であると共に、制御基板３と換気ファン32との間の配線を短くでき、配線作業が容易となり、また電磁ノイズの発生を抑えることができる。
【００２５】
また、前記排気風路35への入口となる排気孔22は、処理槽１の最上部に位置する投入シュート20の側面に形成されており、処理槽１の内部に後述の如く発生する軽量の水蒸気を効果的に排出することができる。
【００２６】
図４に示す如く、制御基板３の上部を覆うカバー板31には運転表示のための表示ＬＥＤ39が取り付けてある。図６は、この取り付け部分近傍の拡大図であり、本図に示す如く、カバー板31の前部上面には、前記表示ＬＥＤ39に対応する小径の貫通孔 31aが形成され、この形成部位の外面には、前記貫通孔 31aの外周を巡る円周状の係合溝 31bが形成されており、該係合溝 31bの内側にてカバー板31の内面に突設された筒状部内には、周方向の複数か所にて前記貫通孔 31aの形成位置にまで張り出すガイドリブ 31c,31c…が形成されている。
【００２７】
前記表示ＬＥＤ39は、カバー板31の内面側から前記ガイドリブ 31c,31c…間にその先端を嵌入し、これらに沿って前記貫通孔 31aの内側に面する位置にまで押し込むことにより、図示の如くカバー板31に保持されており、この状態で行われる前記支持板30へのカバー板31の取り付けにより、制御基板３の上部に図示の如く位置決め固定される。
【００２８】
一方、前記カバー板31の上部を覆うアッパケース2bの天板には、カバー板31における前記貫通孔 31aの形成位置に対応するように、内外に貫通する円形の見通し孔 20aが形成されており、この形成部位の内面には、前記見通し孔 20aの外周を巡る円筒状をなして係合突起 20bが突設されている。この係合突起 20bは、カバー板31の外面に形成された係合溝 31bと対応するサイズを有し、アッパケース2bの取り付けに際し、前記係合溝 31bに上部から係合せしめられており、カバー板31の貫通孔 31aの外側に前記見通し孔 20aが整合するように位置決めする作用をなす。これにより、貫通孔 31aに押し込み固定された表示ＬＥＤ39は、前記見通し孔 20aを経てアッパケース2bの天板から視認することが可能である。
【００２９】
このように、制御基板３への接続が必要な電装部品であり、外装ケース２の外側からの視認が必要な表示ＬＥＤ39がカバー板31に取り付けてあり、この取り付けが、カバー板31の組み付け時に制御基板３との間の配線処理を含めて容易に実施でき、大嵩の部品である前記アッパケース2bの組み付けに際し、前述した配線処理が不要となることから、組み付け工数の削減が図れる。
【００３０】
以上の如き取り付けは、運転表示のための表示ＬＥＤ39に限らず、運転スイッチ等、制御基板３との接続が必要であると共に、外装ケース２の外側に露出させることが必要な他の電装部品に対しても実施することができ、これにより組み付け工数の更なる削減が可能となる。なお前記見通し孔 20aは、アッパケース2bの天板に被着された透明樹脂製のシート 20cにより上部から覆われており、雨水、塵芥等の異物の侵入を防ぐようにしてある。
【００３１】
処理槽１の内部は、前述の如く、折り返し部10に形成された前記吸気孔11，11…によりアッパケース2bの内側に連通しており、前記換気ファン32の駆動により前述した排気が生じた場合、処理槽１の内部には、前記吸気孔11，11…を経てアッパケース2b内の空気が吸込まれる。
【００３２】
図７は、図３よりもやや下位置での横断面図であり、本図と図１及び図２とに示す如く、アッパケース2b内面には、その高さ方向の略中央において、処理槽１の周囲から一体的に張り出された当て板12が当接せしめられ、外面からの押圧による変形を防ぐ構成となっており、アッパケース2bの内部は、前記当て板12により上下に仕切られている。
【００３３】
該当て板12は、制御基板３の支持板30の取り付け部の下位置において、アッパケース2bとの間の隙間を埋めるべく他部よりも幅広となっており、この幅広部分には、円孔状をなす複数の通気孔13，13…が貫通形成され、アッパケース2bの上下部間での通気がこれらの通気孔13，13…に集中して生じるようになしてある。また前記当て板12の幅広部分には、上方に対向する前記制御基板３の支持板30に向けて円錐形をなす支持脚14が立設してあり、この支持脚14の先端は、図４に示す如く、前記支持板30にねじ止め固定されており、処理槽１の折り返し部10にその一縁を片持ち支持された前記支持板30をその下側から支えている。
【００３４】
前述の如く、制御基板３を支持する前記支持板30の上部は、前記カバー板31を介してアッパケース2bの天板に近接しており、使用中にアッパケース2bの天板に下向きの外力が加えられたとき、この作用力は、下方への押し下げ力として支持板30に作用することになる。前記支持脚14は、支持板30を下方の前記当て板12に連結し、前述した如く作用する押し下げ力を当て板12に伝えて、支持板30の支持剛性を確保する作用をなすものである。
【００３５】
アッパケース2bの下半部は、これの下部に一体化されたロアケース2aの底面に形成された図示しない吸気孔により外部に連通させてあり、前記換気ファン32が駆動された場合、図１中に矢符により示す如く、ロアケース2aの底面から外気が吸い込まれ、前記当て板12に形成された複数の通気孔13，13…を通ってアッパケース2bの上半部に通気し、更に、前記吸気孔11，11…を経て処理槽１の内部に導入されるようになっている。
【００３６】
ロアケース2a上に支持された処理槽１の内側下部には、両側壁間に横架された攪拌軸40に軸長方向に所定の間隔毎に複数の攪拌棒41，41…を放射状に突設してなる攪拌体４が配してある。図１に示す如く、処理槽１の一側下部には攪拌モータＭが配してあり、この攪拌モータＭの出力端は、同側への前記攪拌軸40の突出端に減速機構42を介して連結され、前記攪拌体４は、前記減速機構42を介して攪拌軸40に伝達される攪拌モータＭの回転力により回転駆動されるようになしてある。
【００３７】
処理槽１の内部には、おが屑、木質細片等を用いてなる微生物の担体Ａが、図２中に実線にて示す如く、前記攪拌体４の攪拌棒41，41…の先端が、その回転域の上半部にて前記担体Ａの表面から適長突出する深さ（標準レベル）を有して収納されている。処理槽１の底部の半円形状は、図２に示す如く、前記攪拌棒41，41…の回転軌跡の下半部に沿うように設定してあり、処理槽１内に収納された担体Ａは、攪拌体４の回転により処理槽１の幅方向及び深さ方向の全域に亘って攪拌されるようになっている。
【００３８】
このような担体Ａの攪拌は、上部の投入口から処理槽１内へ有機物が投入されたとき、この有機物を担体Ａ中に取り込むべく実施され、また、この後の運転中においては、有機物の分解により担体Ａ中に生成される水分及びガスを処理槽１の上部空間に排出する一方、処理槽１の内部への吸気を担体Ａ中に取り込み、該担体Ａの内部環境を適正に維持すべく、後述する手順にて随時実施される。
【００３９】
攪拌モータＭと減速機構42とは、図１に示す如く、前記当て板12の幅広部分の下において、処理槽１とアッパケース2bとの間に確保されたスペースを利用し、前述した如き吸気の経路の中途に配してあり、前記吸気により攪拌モータＭが有効に冷却されるようにしてある。
【００４０】
以上の如く構成された処理槽１の半円形断面をなす底面の一側（前側）には、内部に収納された担体Ａの排出口17が、図２に示す如く、引出し式のシャッタ５により開閉自在に覆って開設してあり、この排出口17を下側から臨むロアケース2aの底部には、前方に向けて傾斜する排出シュート23が一体形成され、該排出シュート23の前部には、外装カバー６により開閉自在に担体Ａの取り出し口25が形成されている。また、処理槽１の底部外面には、図２に示す如く、内部加熱のためのシート状をなすヒータＨが、前部に開設された排出口17の形成域を避け、後側外面を主体として被着してある。
【００４１】
以上の如く構成された有機物処理装置は、厨芥等の有機物を、上蓋21を開放して処理槽１内に投入して使用される。処理槽１内に投入された有機物は、攪拌モータＭにより駆動される攪拌体４の正逆回転により担体Ａ中に取り込まれ、該担体Ａ中に生息する微生物の活動により分解処理される。この間、制御基板３上に構成された運転制御部の動作により、ヒータＨの通電制御、前記換気ファン32の駆動制御、及び攪拌モータＭの駆動制御が行われる。
【００４２】
パネルヒータＨへの通電制御は、処理槽１の内部温度を適温に保つべく、特に寒冷期に行われ、また換気ファンの駆動制御は、処理槽１の内部に適量の空気を送り込むと共に、前記分解により生成される水分及びガスを排出すべく常時行われ、更に、攪拌モータＭの駆動制御は、処理槽１内部の担体Ａを定期的に攪拌して、担体Ａ中に空気を取り込むと共に、担体Ａ中に生成される水分及びガスを放出すべく間欠的に行われる。このような制御動作により処理槽１の内部は、担体Ａ中に生息する微生物の活動に適した環境に保たれ、該担体Ａ中に取り込まれた有機物は、堆肥化した少量の残留物を残し、炭酸ガスを主成分とするガスと水とに分解される。
【００４３】
一方、以上の如き運転の継続に伴って処理槽１内部の担体Ａ中には、分解処理後の残留物、有機物と共に投入される難分解物（ビニール袋、割箸、貝殻等）が蓄積され、該担体Ａ中における微生物の生息環境が悪化し、処理能力の低下を招くことから、劣化した担体Ａの交換が必要となる。
【００４４】
この交換に際しては、まず、処理槽１内部の劣化した担体Ａの取り出しが行われる。この取り出しは、前記外装カバー６を取り外し、ロアケース2a前面の取り出し口25を開放した後、前記シャッタ５を取り外し、処理槽１の下部前面の排出口17を開放して、処理槽１内部の担体Ａを前記排出口17を経て排出シュート23上に落とし、該排出シュート23の傾斜に沿って前方に掻き出して行われる。
【００４５】
このようにして担体Ａ取り出しを終えた後、まず、シャッタ５を装着して排出口17を閉止し、次いで外装カバー６を装着して取り出し口25を閉止して、処理槽１内にその上部から新たな担体Ａを投入する。このように交換を終えた後は、前述した運転の再開により有機物処理が可能となる。
【００４６】
以上の如き担体Ａの交換に際し、劣化した担体Ａの取り出しのために処理槽１の底部に形成された排出口17は、前記取り出しを容易に行わせるべく、可及的に大なる開口面積を有して形成されている。図８は、ロアケース2aの前面に開設された取り出し口25を前方から見た斜視図である。（ａ）には、外装カバー６及びシャッタ５を取り外した状態が、（ｂ）には、シャッタ５のみを取り付けた状態が夫々示されており、前記排出口17は、図８（ａ）に示す如く、取り出し口25から見通し得る処理槽１の底部に、これの略全幅に亘る矩形の開口として形成されている。
【００４７】
このように開設された排出口17には、図８（ｂ）に示す如くシャッタ５を閉止して行われる前述した運転中には、処理槽１内部の担体Ａの重量と、前記攪拌体４による担体Ａの攪拌に伴う作用力とが加わり、その周縁部、特に、長寸である下縁と上縁とに撓み変形が生じる。本発明においては、シャッタ５を利用して前記撓み変形を防ぐ構成としてある。
【００４８】
図９は、シャッタ５の外観斜視図であり、図２に示す装着時に後となる側を手前として示してある。本図に示す如くシャッタ５は、処理槽１の底面に対応するように円弧状に屈曲成形された蓋板50と、該蓋板50の周囲を縁取る側板51と、前記蓋板50の一側に連設された前板52と、該前板52の他面に一体的に突設された把手53とを備える樹脂成型品である。前記蓋板50は、四方を縁取る前記側板51と、これらの間に縦横に架設された補強リブ（図中に破線により示す）とによって裏面から補強され、蓋板50の表面に加わる作用力に対し十分な強度を有するようになしてある。
【００４９】
図８（ａ）に示す如く、排出口17を下側から臨むようにロアケース2aに一体形成された排出シュート23の両側面（片面のみ図示）には、排出口17の下位置にて略水平に並べて複数のガイドリブ24，24…が突設されており、前記シャッタ５は蓋板50の両側の側板51の下縁を前記ガイドリブ24，24…により支え、前記把手53を把持して前後にスライド操作可能としてあり、最後位置にまで押し込まれたとき、図２示す如き装着状態が得られ、蓋板50の表面に突設された突出部 50a（図９参照）の嵌まり込みにより、前記排出口17が閉止されるようになっている。
【００５０】
このように得られるシャッタ５の装着姿勢は、図２に示す如く、取り出し口25に外装カバー６が装着されたとき、該外装カバー６の一部がロアケース2aとシャッタ５との間に嵌まり込むことにより拘束されている。この拘束は、例えば、シャッタ５の一部を処理槽１の外面にねじ止めする等の適宜の手段により実現することが可能である。
【００５１】
図10は、外装カバー６及びシャッタ５の取り外しにより開放された排出口17近傍の拡大断面図である。本図に示す如く、ロアケース2aは、排出シュート23の内奥側に、その上部の平坦面を前記排出口17の後縁部の下側に対向させて形成された支えリブ26を一体的に備えている。この支えリブ26は、図８（ａ）に示す如く、排出シュート23の全幅に亘って複数配してあり、夫々の上面と処理槽１の底面との間に所定の高さを有する凹所が形成されている。この凹所の高さ寸法は、図９に示す形態をなすシャッタ５の後端における側板51の高さと対応させてあり、図２に示す如くシャッタ５が装着されたとき、該シャッタ５の後端部が、前記凹所に嵌まり込むようになしてある。
【００５２】
これにより、排出口17の後縁部は、前記シャッタ５の一部（後縁部）を介してロアケース2aに支えられた状態となり、前述の如く生じる後縁部の撓みは、シャッタ５及びロアケース2aの剛性により有効に抑えることができる。同様に、排出口17の側縁及び上縁もまた、排出シュート23の両側面のガイドリブ24，24…と、シャッタ５の側板51とによりロアケース2aに支えられた状態となり、排出口17の周縁全体の撓みを抑えることができる。更に、このようなシャッタ５の位置は、前述した如く、外装ケース６の作用により拘束されるから、排出口17周縁の撓み防止効果が損なわれる虞れはない。
【００５３】
また図10に示す如く、処理槽１の前部は、排出口17の上縁近傍において連結板７を介してアッパケース2bに連結してある。排出口17の上縁には、処理槽１の内部からの作用力により、前述した如き下方への撓み変形と共に、前方への撓み変形が生じるが、この変形は、前記連結板７によるアッパケース2bとの連結により緩和される。
【００５４】
【発明の効果】
以上詳述した如く本発明に係る有機物処理装置においては、処理槽の底部に開設された排出口の周縁部を、これを開閉するシャッタを介して高強度のロアケースに支える構成としたから、処理槽内部の担体の重量、及び該担体の攪拌に伴う作用力により生じる排出口周縁部の撓みを、シャッタ及びロアケースの剛性により、処理槽の側に何らの処置を施さずに抑えることがでる。
【００５５】
更に、排出口の周縁部を支える位置にシャッタを拘束する手段を備えたから、シャッタによる排出口の閉止状態を、前記撓みを抑えつつ長期に亘って良好に維持することが可能となる等、本発明は優れた効果を奏する。
【図面の簡単な説明】
【図１】本発明に係る有機物処理装置の正面断面図である。
【図２】本発明に係る有機物処理装置の側断面図である。
【図３】上蓋、アッパケースの天板、及び基板のカバー板を取り除いた状態を上方から見た平面図である。
【図４】図３のIV−IV線による断面図である。
【図５】図３のＶ−Ｖ線による断面図である。
【図６】図４における表示ＬＥＤの取り付け位置近傍の拡大図である。
【図７】図３よりもやや下位置での横断面図である。
【図８】ロアケースに開設された担体の取り出し口を前方から見た斜視図である。
【図９】シャッタの外観斜視図である。
【図１０】開放された排出口近傍の拡大断面図である。
【符号の説明】
１    処理槽
２    外装ケース
2a    ロアケース
2b    アッパケース
３    制御基板
４    攪拌体
５    シャッタ
17    排出口
23    排出シュート
24    ガイドリブ
26    支えリブ
32    換気ファン
50    蓋板
51    側板
Ａ    担体
【図１】
0003691193.tif 000002
【図２】
0003691193.tif 000003
【図３】
0003691193.tif 000004
【図４】
0003691193.tif 000005
【図５】
0003691193.tif 000006
【図６】
0003691193.tif 000007
【図７】
0003691193.tif 000008
【図８】
0003691193.tif 000009
【図９】
0003691193.tif 000010
【図１０】
0003691193.tif 000011